(57)【要約】 【課題】色差の補正方式を出力方式に対応させる。【解決手段】プロファイル生成装置は、第１補正パラメータ設定手段と第２補正パラメータ設定手段と生成手段とを備える。第１補正パラメータ設定手段は、非標準記録媒体の用紙特性、標準記録媒体の用紙特性、色相変化パラメータに基づいて、非標準記録媒体に形成される画像の見かけ上の色を、標準記録媒体に形成される画像の見かけ上の色と一致させるための第１補正パラメータを設定する。第２補正パラメータ設定手段は、非標準記録媒体における測色値、標準記録媒体における測色値、色相変化パラメータに基づいて、標準記録媒体における単色階調値を非標準記録媒体における単色階調値に変換するための第２補正パラメータを設定する。生成手段は、標準記録媒体のカラープロファイル、第１補正パラメータ、第２補正パラメータに基づいて、非標準記録媒体のカラープロファイルを生成する。【選択図】図１
2015177380.tif 000002
【特許請求の範囲】
【請求項１】
基準となる記録媒体を示す標準記録媒体のカラープロファイルを用いて、前記標準記録媒体と分光特性が異なる非標準記録媒体のカラープロファイルを生成するプロファイル生成装置であって、
前記標準記録媒体のカラープロファイルと、前記標準記録媒体に形成される単色階調の色相変化量を表す色相変化パラメータと、前記標準記録媒体の用紙特性と、前記標準記録媒体における測色値とを記憶する記憶手段と、
前記非標準記録媒体の用紙特性を取得する第１取得手段と、
前記非標準記録媒体における測色値を取得する第２取得手段と、
前記非標準記録媒体の用紙特性、前記標準記録媒体の用紙特性、前記色相変化パラメータに基づいて、前記非標準記録媒体に形成される画像の見かけ上の色を、前記標準記録媒体に形成される画像の見かけ上の色と一致させるための第１補正パラメータを設定する第１補正パラメータ設定手段と、
前記非標準記録媒体における測色値、前記標準記録媒体における測色値、前記色相変化パラメータに基づいて、前記標準記録媒体における単色階調値を前記非標準記録媒体における単色階調値に変換するための第２補正パラメータを設定する第２補正パラメータ設定手段と、
前記標準記録媒体のカラープロファイル、前記第１補正パラメータ、前記第２補正パラメータに基づいて、前記非標準記録媒体のカラープロファイルを生成する生成手段と、を備える、
プロファイル生成装置。
【請求項２】
前記色相変化パラメータは、彩度最大色、および、１００％の階調値の再現色の各々と、紙の色を示す紙白とを結んだ角度を表す色相角情報を含む、
請求項１に記載のプロファイル生成装置。
【請求項３】
前記第２補正パラメータ設定手段は、前記色相変化量と第１閾値との比較結果に応じて、前記第２補正パラメータの設定方法を変更する、
請求項１または請求項２に記載のプロファイル生成装置。
【請求項４】
前記第２補正パラメータは、前記標準記録媒体における単色階調値を前記非標準記録媒体における単色階調値に変換するための補正カーブを表すものであり、
前記第２補正パラメータ設定手段は、前記色相変化量が前記第１閾値未満の場合は、紙の色を示す紙白と、各階調パッチの色との色差を目標色値として前記補正カーブを生成する一方、前記色相変化量が前記第１閾値以上の場合は、各階調パッチ間の色差の累積値を目標色値として前記補正カーブを生成する、
請求項３に記載のプロファイル生成装置。
【請求項５】
前記第１補正パラメータ設定手段は、前記色相変化量と第２閾値との比較結果に応じて、前記第１補正パラメータの設定方法を変更する、
請求項１乃至４のうちの何れか１項に記載のプロファイル生成装置。
【請求項６】
前記第１補正パラメータ設定手段は、
前記色相変化量が前記第２閾値未満の場合は、前記標準記録媒体と前記非標準記録媒体との間の蛍光レベル差に応じて推定される、前記非標準記録媒体と前記標準記録媒体との間の分光反射率の差分を示す分光反射率差分推定値に対して、所定の単色に対応する色材のマスキングパラメータを乗算した値を、前記所定の単色の１００％の階調値に対応する、前記標準記録媒体と前記非標準記録媒体との間におけるカラーパッチの分光反射率の差分を示すカラーパッチ分光反射率差分推定値として設定するとともに、前記分光反射率差分推定値に対して紙の色に対応する色材のマスキングパラメータを乗算した値を、前記所定の単色の０％の階調値に対応する前記カラーパッチ分光反射率差分推定値として設定し、階調値０％から１００％までの間の階調値に対応する前記カラーパッチ分光反射率差分推定値は線形補間により求める一方、
前記色相変化量が前記第２閾値以上の場合は、前記分光反射率差分推定値に対して前記所定の単色に対応する色材のマスキングパラメータを乗算した値を、彩度最大色に対する階調値に対応する前記カラーパッチ分光反射率差分推定値として設定するとともに、前記分光反射率差分推定値に対して紙の色に対応する色材のマスキングパラメータを乗算した値を、前記所定の単色の０％の階調値に対応する前記カラーパッチ分光反射率差分推定値として設定し、階調値０％から彩度最大色に対する階調値までの間の階調値に対応する前記カラーパッチ分光反射率差分推定値は線形補間により求め、かつ、彩度最大色に対する階調値から階調値１００％までの間の階調値に対応する前記カラーパッチ分光反射率差分推定値は、彩度最大色に対する階調値に対応する前記カラーパッチ分光反射率差分推定値と同じ値とする、
請求項５に記載のプロファイル生成装置。
【請求項７】
前記第１補正パラメータは、単色階調値に対応する前記カラーパッチ分光反射率差分推定値である、
請求項６に記載のプロファイル生成装置。
【請求項８】
基準となる記録媒体を示す標準記録媒体と分光特性が異なる非標準記録媒体の用紙特性を取得する第１取得ステップと、
前記非標準記録媒体における測色値を取得する第２取得ステップと、
前記標準記録媒体のカラープロファイルと、前記標準記録媒体に形成される単色階調の色相変化量を表す色相変化パラメータと、前記標準記録媒体の用紙特性と、前記標準記録媒体における測色値とを記憶する記憶手段から取得した前記標準記録媒体の用紙特性および前記色相変化パラメータ、前記第１取得ステップで取得した前記非標準記録媒体の用紙特性に基づいて、前記非標準記録媒体に形成される画像の見かけ上の色を、前記標準記録媒体に形成される画像の見かけ上の色と一致させるための第１補正パラメータを設定する第１補正パラメータ設定ステップと、
前記記憶手段から取得した前記標準記録媒体における測色値および前記色相変化パラメータ、前記第２取得ステップで取得した前記非標準記録媒体における測色値に基づいて、前記標準記録媒体における単色階調値を前記非標準記録媒体における単色階調値に変換するための第２補正パラメータを設定する第２補正パラメータ設定ステップと、
前記標準記録媒体のカラープロファイル、前記第１補正パラメータ、前記第２補正パラメータに基づいて、前記非標準記録媒体のカラープロファイルを生成する生成ステップと、を含む、
プロファイル生成方法。
【請求項９】
コンピュータを、
基準となる記録媒体を示す標準記録媒体と分光特性が異なる非標準記録媒体の用紙特性を取得する第１取得手段と、
前記非標準記録媒体における測色値を取得する第２取得手段と、
前記標準記録媒体のカラープロファイルと、前記標準記録媒体に形成される単色階調の色相変化量を表す色相変化パラメータと、前記標準記録媒体の用紙特性と、前記標準記録媒体における測色値とを記憶する記憶手段から取得した前記標準記録媒体の用紙特性および前記色相変化パラメータ、前記第１取得ステップで取得した前記非標準記録媒体の用紙特性に基づいて、前記非標準記録媒体に形成される画像の見かけ上の色を、前記標準記録媒体に形成される画像の見かけ上の色と一致させるための第１補正パラメータを設定する第１補正パラメータ設定手段と、
前記記憶手段から取得した前記標準記録媒体における測色値および前記色相変化パラメータ、前記第２取得ステップで取得した前記非標準記録媒体における測色値に基づいて、前記標準記録媒体における単色階調値を前記非標準記録媒体における単色階調値に変換するための第２補正パラメータを設定する第２補正パラメータ設定手段と、
前記標準記録媒体のカラープロファイル、前記第１補正パラメータ、前記第２補正パラメータに基づいて、前記非標準記録媒体のカラープロファイルを生成する生成手段として機能させる、
プログラム。
【請求項１０】
入力画像を取得し、請求項１乃至７のうちの何れか１項に記載のプロファイル生成装置で生成されたカラープロファイルを用いて画像処理を行う、
画像処理装置。
【発明の詳細な説明】
【技術分野】
【０００１】
本発明は、プロファイル生成装置、プロファイル生成方法、プログラムおよび画像処理装置に関する。
【背景技術】
【０００２】
従来、プリンタや複写機のカラーマネージメントでは、異なる用紙特性で出力する場合であっても、理想的には、基準となる標準記録媒体と同じ色で出力することが求められる。そのため、ユーザが使用する用紙（標準記録媒体とは特性が異なるユーザ用紙）の特性に起因する色の差を補正する処理を行う、あるいは、ユーザ用紙に対応したカラープロファイルを作成して適用する技術が既に知られている。
【発明の概要】
【発明が解決しようとする課題】
【０００３】
しかしながら、従来においては、ユーザ用紙ごとに一律の方式で補正パラメータを設定していたため、特定の種類のプリンタのみ、ユーザ用紙の特性に起因する色の差を補正することができるというものであった。色再現特性はプリンタの出力方式にも依存するため、補正方式を出力方式に対応させる仕組みが望まれるが、従来においては、そのような仕組みは存在しなかった。
【０００４】
本発明は、上記に鑑みてなされたものであって、補正方式を出力方式に対応させることが可能なプロファイル生成装置、プロファイル生成方法、プログラムおよび画像処理装置を提供することを目的とする。
【課題を解決するための手段】
【０００５】
上述した課題を解決し、目的を達成するために、本発明は、基準となる記録媒体を示す標準記録媒体のカラープロファイルを用いて、前記標準記録媒体と分光特性が異なる非標準記録媒体のカラープロファイルを生成するプロファイル生成装置であって、前記標準記録媒体のカラープロファイルと、前記標準記録媒体に形成される単色階調の色相変化量を表す色相変化パラメータと、前記標準記録媒体の用紙特性と、前記標準記録媒体における測色値とを記憶する記憶手段と、前記非標準記録媒体の用紙特性を取得する第１取得手段と、前記非標準記録媒体における測色値を取得する第２取得手段と、前記非標準記録媒体の用紙特性、前記標準記録媒体の用紙特性、および、前記色相変化パラメータに基づいて、前記非標準記録媒体に形成される画像の見かけ上の色を、前記標準記録媒体に形成される画像の見かけ上の色と一致させるための第１補正パラメータを設定する第１補正パラメータ設定手段と、前記非標準記録媒体における測色値、前記標準記録媒体における測色値、および、前記色相変化パラメータに基づいて、前記標準記録媒体における単色階調値を前記非標準記録媒体における単色階調値に変換するための第２補正パラメータを設定する第２補正パラメータ設定手段と、前記標準記録媒体のカラープロファイル、前記第１補正パラメータ、前記第２補正パラメータに基づいて、前記非標準記録媒体のカラープロファイルを生成する生成手段と、を備える。
【発明の効果】
【０００６】
本発明によれば、色差の補正方式を出力方式に対応させることができる。
【図面の簡単な説明】
【０００７】
【図１】図１は、実施形態の画像形成システムの構成の一例を示す図である。
【図２】図２は、画像処理装置の機能構成の一例を示す図である。
【図３】図３は、プロファイル生成装置の機能構成の一例を示す図である。
【図４】図４は、色相変化パラメータを説明するための図である。
【図５】図５は、色相変化量が小さい場合の単色階調値に対する目標色値の特徴を示す図である。
【図６】図６は、色相変化量が大きい場合の単色階調値に対する目標色値の特徴を示す図である。
【図７】図７は、ＴＲＣ補正パラメータ設定部により設定されたＴＲＣ補正カーブの一例を示す図である。
【図８】図８は、色相変化量が小さい場合の単色階調値における測色値差分を表す図である。
【図９】図９は、色相変化量が大きい場合の単色階調値における測色値差分を表す図である。
【図１０】図１０は、色相変化量が小さい場合におけるシアンのカラーパッチ分光反射率差分推定値を示す図である。
【図１１】図１１は、色相変化量が大きい場合におけるシアンのカラーパッチ分光反射率差分推定値を示す図である。
【図１２】図１２は、蛍光レベル差を説明するための図である。
【図１３】図１３は、蛍光レベル差算出で使用するＵＶカットフィルタなしとありの差分の基本波形について説明するための図である。
【図１４】図１４は、カラープロファイル生成部の機能構成の一例を示す機能ブロック図である。
【図１５】図１５は、プロファイル生成装置により実行される一連の処理を示すフローチャートである。
【発明を実施するための形態】
【０００８】
以下、添付図面を参照しながら、本発明に係るプロファイル生成装置、プロファイル生成方法、プログラムおよび画像処理装置の実施形態を詳細に説明する。
【０００９】
（システム構成）
図１は、本実施形態に係るプロファイル生成装置を備えた画像形成システムの構成の一例を示す図である。画像形成システムは、例えばＰＣ２０および当該ＰＣ２０に搭載された拡張ハードウェアと制御ソフトウェアにより実現されている。画像処理装置４０には、当該画像処理装置４０によって処理された画像データに基づいて、物理的な画像の出力媒体である用紙（記録媒体の一例）上に画像を形成する画像形成装置３０が接続されている。画像形成装置３０は、例えばシアン（Ｃ）、マゼンタ（Ｍ）、イエロー（Ｙ）、ブラック（Ｋ）の４色を基本色材とし、これらの混触でフルカラー画像を用紙上に形成する。一方で、画像処理装置４０は、ネットワークに接続されており、同じネットワークに接続されたＰＣ２０（ユーザが使用するＰＣ２０）から送付される画像データ（入力画像）、及びプロファイル生成装置１０から送付されるカラープロファイルを受け取り、入力画像に対して、プロファイル生成装置１０で生成されたカラープロファイルを用いて後述の画像処理プロセスを施した後、画像形成装置３０に転送する。
【００１０】
（機能構成）
図２は、画像処理装置４０における画像処理プロセスを実現するための機能構成の一例を示す機能ブロック図である。図２に示すように、画像処理装置４０は、画像データ取得部２２と、色変換部２３と、カラープロファイル変換部２４と、カラープロファイル取得部２５とを備える。
【００１１】
画像データ取得部２２は、ネットワークを介してＰＣ２０から送付される画像データ２１を取得する。なお、画像データ取得部２２が取得する画像データ２１は、ＰＣ２０からネットワークを介して送付される画像データに限られるものではない。例えば、画像形成装置４０がスキャナを備える場合、このスキャナで読み取った画像データ２１を、画像データ取得部２２が取得する形態であってもよい。
【００１２】
色変換部２３は、画像データ取得部２２が取得した画像データ２１に対して、ＲＧＢ、ＣＭＹＫ等デバイス依存の色空間の表色値から、デバイス非依存の色空間であるＰＣＳ（Profile  Connection  Space）の表色値（ＣＩＥＬａｂ値）に変換する色変換を行う。
【００１３】
一方、カラープロファイル取得部２５は、ネットワークを介してＰＣ２０から送付されるカラープロファイル２６を取得する。ここで、カラープロファイル２６は、デバイス非依存の表色値であるＰＣＳ（Profile  Connection  Space）の表色値の画像データを、画像形成装置３０が扱うＣＭＹＫの表色値に変換する色変換時に適用するプロファイルを示す。色変換プロファイルは、例えば、３次元ＬＵＴ（Look  Up  Table）で構成され、色変換プロファイルとしては、公知のＩＣＣプロファイルが挙げられる（ＩＣＣ：International  Color  Consortium）。カラープロファイル変換部２４は、カラープロファイル取得部２５が取得したカラープロファイル２６を用いてＰＣＳ表色値であるＣＩＥＬａｂ値を画像形成装置３０が扱うＣＭＹＫの色空間の表色値に変換する色変換を行い、変換された画像データを画像形成装置３０に送信する。
【００１４】
図３は、プロファイル生成装置１０におけるプロファイル生成処理プロセスを実現するための機能構成を示す機能ブロックである。プロファイル生成装置１０は、プロファイル生成プロセスを実現するための機能構成として、図３に示すように、カラープロファイル生成部１１と、記憶部１２と、用紙特性取得部１３と、測色値取得部１４と、蛍光補正パラメータ設定部１５と、ＴＲＣ補正パラメータ設定部１６とを備える。
【００１５】
記憶部１２は、基準となる記録媒体を示す標準記録媒体（以下の説明では、「基準用紙」と称する場合がある）のカラープロファイル１２１、基準用紙に形成される単色階調の色相変化量を表す色相変化パラメータ１２２、基準用紙の用紙特性１２３、画像処理装置４０によって基準用紙上に形成された単色階調パッチの測色値１２６（基準用紙における測色値）を保持している。
【００１６】
用紙特性取得部１３は、基準用紙と分光特性が異なる非標準記録媒体(以下の説明では、「ユーザ用紙」と称する場合がある)の用紙特性１２４を取得する。この例では、用紙特性取得部１３は、請求項の「第１取得手段」に対応していると考えることができる。
【００１７】
測色値取得部１４は、画像処理装置４０によってユーザ用紙上に形成された単色階調パッチの測色値１２５（ユーザ用紙における測色値）を取得する。この例では、測色値取得部１４は、請求項の「第２取得手段」に対応していると考えることができる。
【００１８】
蛍光補正パラメータ設定部１５は、色相変化パラメータ１２２、基準用紙の用紙特性１２３、ユーザ用紙の用紙特性１２４を取得し、これらに基づいて、ユーザ用紙に形成される画像の見かけ上の色を、基準用紙に形成される画像の見かけ上の色と一致させるための蛍光補正パラメータ４２を設定する。この具体的な内容については後述する。この例では、蛍光補正パラメータ１４３は請求項の「第１補正パラメータ」に対応し、蛍光補正パラメータ設定部１５は請求項の「第１補正パラメータ設定手段」に対応していると考えることができる。
【００１９】
ＴＲＣ補正パラメータ設定部１６は、色相変化パラメータ１２２、基準用紙の単色階調パッチの測色値１２６、ユーザ用紙の単色階調パッチの測色値１２５を取得し、これらに基づいて、基準用紙における単色階調値をユーザ用紙における単色階調値に変換するためのＴＲＣ補正パラメータ４３を設定する。この具体的な内容については後述する。この例では、ＴＲＣ補正パラメータ４３は請求項の「第２補正パラメータ」に対応し、ＴＲＣ補正パラメータ設定部１６は請求項の「第２補正パラメータ設定手段」に対応していると考えることができる。
【００２０】
カラープロファイル生成部１１は、記憶部１２に格納された基準用紙に対するカラープロファイル１２１と、蛍光補正パラメータ設定部１５により設定された蛍光補正パラメータ４２と、ＴＲＣ補正パラメータ設定部１６により設定されたＴＲＣ補正パラメータ４３を取得して、ユーザ用紙に対するカラープロファイル２６を生成する。この例では、カラープロファイル生成部１１は、請求項の「生成手段」に対応していると考えることができる。なお、基準用紙上に形成された単色階調パッチの測色値１２６、色相変化パラメータ１２２、用紙特性１２３は基準用紙のカラープロファイル１２１内部に保持されていても良く、また基準用紙のカラープロファイル１２１からＴＲＣ補正パラメータ設定部１６が取得するようにしても良い。
【００２１】
次に、各種の特性、及びパラメータの具体的な内容を説明する。
【００２２】
（色相変化パラメータ１２２）
図４は、色相変化パラメータ１２２を説明するための図である。色相変化パラメータ１２２は、彩度最大色、および、１００％の階調値の再現色の各々と、紙の色を示す紙白とを結んだ角度を表す色相角情報を含む。この例では、色相変化パラメータ１２２は、単色階調パッチの紙白から１００％の階調値における色相の変化量、及び色相変化が起こる階調値で構成される。色相変化量は、シアン、マゼンタ、イエローのそれぞれにおいて角度で表される。例えばシアンに対応する色相変化量は、図４に示す角度θｃで表され、ＣＩＥＬａｂ空間でのａｂ平面において、単色階調における彩度最大色（図４の点Ａ）、および、１００％の再現色(図４の点Ｂ)の各々と、紙白とを結んだ角度となる。一般的に電子写真では色相変化量は小さく、インクジェットでは特にシアン、マゼンタにおける色相変化量が大きい。これは、インクジェット機の主要用途である写真画像の印刷において、鮮やかな濃い色再現が好まれるためである。また、一方、イエローの色相変化量はシアン、マゼンタに比べると小さい。また、この例では、色相変化パラメータ１２２として、色相角情報の他に彩度最大色に対する階調値を保持する。
【００２３】
（基準用紙の用紙特性１２３、ユーザ用紙の用紙特性１２４）
用紙特性とは、用紙の色再現特性を表すデータであり、ここでは、一例として、分光反射率を表すデータである。
【００２４】
（単色階調パッチの測色値１２５、１２６、およびＴＲＣ補正パラメータ４３）
単色階調パッチの測色値とは、各色材における単色階調パッチのＣＩＥＬａｂ値である。本実施形態では、ＴＲＣ補正パラメータ設定部１６は、例えばシアンの色相変化量θｃが第１閾値Ｔｈｃ未満(θｃ＜Ｔｈｃ)の場合、色相方向への変動は微小で無視できるとみなし、目標色値を紙白のＬａｂ値と単色（この例ではシアン）のＬａｂ値との色差ΔＥａｂb、即ち、Ｌａｂ空間における紙白からの距離で規定する。逆に色相変化量θｃが第１閾値Ｔｈｃ以上(θｃ≧Ｔｈｃ)の場合、色相方向への変動は無視できないとみなし、目標色値を紙白からの累積Ｌａｂ色差ΔＥｓｕｍ、即ち、Ｌａｂ空間において紙白を起点とし、各階調間における色差を累積和した値で規定する。
【００２５】
図５、図６は、単色階調値に対する目標色値の特徴を示す図であり、図５は色相変化量が小さい場合（第１閾値Ｔｈｃ未満の場合）、図６は色相変化量が大きい場合（第１閾値Ｔｈｃ以上の場合）の説明図である。基準用紙からユーザ用紙への単色階調値の変換は、同一の目標色値を介して行うが、単色階調値に対する目標色値は線形であることが望ましい。色相変化が小さい場合、図５に示すように、紙白からの色差（ΔＥａｂ:ＣＩＥＬａｂ色差）は線形となるため問題ない。一方、色相変化が大きい場合、１００％付近(図４の点Ａから点Ｂへの変化)では、階調変化に対して彩度は変化するが、紙白からの色差（ΔＥａｂ）は飽和してしまい、図６に示す形状になる。このため、色相変化が無視できない場合は累積Ｌａｂ色差（ΔＥｓｕｍ）を使用するのが望ましい。ここで、紙白(ｉ＝１)から１００％(ｉ＝Ｎ)までＮ個のパッチがある場合、Ｍ（≦Ｎ）番目のパッチの累積Ｌａｂ色差：ΔＥｓｕｍ（Ｍ）は以下の式１で表される。
【数１】
2015177380.tif 000003
【００２６】
上記式１において、ΔＥａｂ（ｉ，ｉ＋１）はｉ番目のパッチと、（ｉ＋１）番目のパッチとのＣＩＥＬａｂ色差である。ただし、累積Ｌａｂ色差（ΔＥｓｕｍ）は各階調パッチ間の出力誤差や測定誤差を含んでしまうため、使用は最小限にとどめるべきである。
【００２７】
以上より、本実施形態では、ＴＲＣ補正パラメータ設定部１６は、色相変化量と第１閾値Ｔｈｃとの比較結果に応じて、ＴＲＣ補正パラメータ４３の設定方法を変更する。より具体的には、ＴＲＣ補正パラメータ設定部１６は、色相変化量が第１閾値Ｔｈｃ未満の場合は、紙の色を示す紙白と、各階調パッチの色との色差を目標色値とし、目標色値が一致するように、単色階調特性のＴＲＣ補正カーブ（基準用紙における単色階調値をユーザ用紙における単色階調値に変換するための補正カーブ）を生成する一方、色相変化量が第１閾値Ｔｈｃ以上の場合は、各階調パッチ間の色差の累積値を目標色値とし、目標色値が一致するように、単色階調特性のＴＲＣ補正カーブを生成する。図７は、ＴＲＣ補正パラメータ設定部１６により設定されたＴＲＣ補正カーブの一例を示す図である。離散階調値での座標関係を制御点として取得し、スプライン補間でＴＲＣ補正カーブを決定する。この場合、離散階調値での座標関係がＴＲＣ補正パラメータ４３となる。ＴＲＣ補正パラメータ設定部１６は、ＣＭＹＫの全色に対し、ＴＲＣ補正パラメータ４３を設定する。
【００２８】
（蛍光補正パラメータ４２）
図８、９は単色階調値における、ＵＶカットフィルタあり／無しの測色値差分（以下「蛍光測色値差分」と称する場合がある）をａｂ色座標平面上に表している。図８は色相変化量が無視できる場合（色相変化量が第２閾値未満の場合）、図９は色相変化量が無視できない場合（色相変化量が第２閾値以上の場合）の説明図である。色相変化量が無視できる場合、図８に示すように、測色値差分は紙白から１００％まで線形的に変化する。一方、色相変化量が無視できない場合は、図９に示すように測色値差分は紙白から彩度最大色までは線形的に変化するものの、彩度最大値から１００％までは一定である。これは、彩度最大色(図４の点Ａ)から１００%(図４の点Ｂ)では用紙上で網点が埋まってしまうためと考えられる。
【００２９】
このような現象を踏まえ、蛍光補正パラメータ設定部１５は、色相変化量と第２閾値との比較結果に応じて、蛍光補正パラメータ４２の設定方法を変更する。より具体的には、蛍光補正パラメータ設定部１５は、色相変化量が第２閾値未満の場合は、基準用紙とユーザ用紙との間の蛍光レベル差に応じて推定される、ユーザ用紙と基準用紙との間の分光反射率の差分を示す分光反射率差分推定値に対して、所定の単色に対応する色材のマスキングパラメータを乗算した値を、当該所定の単色の１００％の階調値に対応する、基準用紙とユーザ用紙との間におけるカラーパッチの分光反射率の差分を示すカラーパッチ分光反射率差分推定値として設定する。また、蛍光補正パラメータ設定部１５は、上記分光反射率差分推定値に対して紙の色に対応する色材（白：Ｗ）のマスキングパラメータを乗算した値を、上記所定の単色の０％の階調値に対応するカラーパッチ分光反射率差分推定値として設定し、階調値０％から１００％までの間の階調値に対応するカラーパッチ分光反射率差分推定値は、線形補間により求める。この例では、蛍光補正パラメータ４２は、単色階調値に対応するカラーパッチ分光反射率差分推定値であると考えることができる。
【００３０】
一方、蛍光補正パラメータ設定部１５は、色相変化量が第２閾値以上の場合は、上記分光反射率差分推定値に対して所定の単色に対応する色材のマスキングパラメータを乗算した値を、彩度最大色に対する階調値に対応するカラーパッチ分光反射率差分推定値として設定するとともに、上記分光反射率差分推定値に対して紙の色に対応する色材のマスキングパラメータを乗算した値を、当該所定の単色の０％の階調値に対応するカラーパッチ分光反射率差分推定値として設定し、階調値０％から彩度最大色に対する階調値までの間の階調値に対応するカラーパッチ分光反射率差分推定値は線形補間により求め、かつ、彩度最大色に対する階調値から階調値１００％までの間の階調値に対応するカラーパッチ分光反射率差分推定値を、彩度最大色に対する階調値に対応するカラーパッチ分光反射率差分推定値と同じ値とする。
【００３１】
図１０、図１１は、シアンについて作成されたカラーパッチ分光反射率差分推定値を示す図である。図１０は色相変化量が無視できる場合（第２閾値未満の場合）、図１１は色相変化量が大きい場合（第２閾値以上の場合）の図であり、横軸に単色階調値(０〜２５５)、縦軸にはカラーパッチ分光反射率差分推定値をとる。
【００３２】
色相変化量が無視できる場合、図１０に示すように、０％の階調値に対応するカラーパッチ分光反射率差分推定値Ｐｒｅ（Ｗ）は、ユーザ用紙の分光反射率差分推定値に対して、紙の色に対応する色材のマスキングパラメータＰｗを乗算した値となり、１００％の階調値（「２５５」）に対応するカラーパッチ分光反射率差分推定値Ｐｒｅ（Ｃ）は、ユーザ用紙の分光反射率差分推定値に対して、シアンに対応する色材のマスキングパラメータＰｃを乗算した値となり、その間の階調値に対応するカラーパッチ分光反射率差分推定値は、線形補間により求められる。
【００３３】
色相変化量が無視できない場合、図１１に示すように、０％の階調値に対応するカラーパッチ分光反射率差分推定値Ｐｒｅ（Ｗ）は、ユーザ用紙の分光反射率差分推定値に対して、紙の色に対応する色材のマスキングパラメータＰｗを乗算した値となり、彩度最大色に対する階調値Ｃｓに対応するカラーパッチ分光反射率差分推定値は、ユーザ用紙の分光反射率差分推定値に対して、シアンに対応する色材のマスキングパラメータＰｃを乗算した値となる。そして、階調値０％からＣｓまでの間の階調値に対応するカラーパッチ分光反射率差分推定値は、線形補間により求められ、階調値Ｃｓから１００％までの間の階調値に対応するカラーパッチ分光反射率差分推定値は、階調値Ｃｓに対応するカラーパッチ分光反射率差分推定値と同じ値となる。
【００３４】
ここで、図１２を用いて、上述の蛍光レベル差について説明する。図１２（ａ）は、各非標準記録媒体（ユーザ用紙）に含まれる蛍光増白剤の量を表す蛍光レベルは、同じ非標準記録媒体を、測色器にＵＶカットフィルタを装着しない状態で測色した、ＵＶカットフィルタなしでの非標準記録媒体の分光反射率を示している。
【００３５】
図１２（ｂ）は、測色器にＵＶカットフィルタを装着した状態で測色した、ＵＶカットフィルタありでの非標準記録媒体の分光反射率を示している。図１２（ａ）、（ｂ）から分かるように、蛍光増白剤が多い（蛍光レベルが高い）非標準記録媒体は、（ａ）と（ｂ）の分光反射率波形が大きく異なる。蛍光増白剤が少ない（蛍光レベルが低い）非標準記録媒体は、（ａ）と（ｂ）の分光反射率波形が類似している。
【００３６】
図１２（ｃ）に示すように、（ａ）ＵＶカットフィルタなしでの非標準記録媒体の分光反射率と（ｂ）測色器にＵＶカットフィルタを装着した状態での非標準記録媒体の分光反射率との差分である（ｃ）の波形のピークの高さを、各非標準記録媒体の蛍光レベルと定義する。ピークは４４０ｎｍ付近の波長で現れる。蛍光レベル差は、ピーク即ち４４０ｎｍにおける分光反射率の標準記録媒体との差分になる。
【００３７】
図１３は、蛍光レベル差算出で使用するＵＶカットフィルタなしとありの差分の基本波形について説明するための図である。蛍光補正パラメータ設定部１５は、非標準記録媒体と標準記録媒体の蛍光レベルを算出する。標準記録媒体の蛍光レベルは、予め算出して記憶部１２に記憶しておいてもよい。図１２（ｃ）は、いずれも図１３の基本波形を係数倍した形状で近似可能である。その係数こそが蛍光レベルである。蛍光レベルを算出する対象非標準記録媒体の（１）ＵＶカットなしでの非標準記録媒体の分光反射率をＲｗ（λ）とし、算出する蛍光レベルをＲＦ（ｆ）とする。Ｒｗ（λ）のピークである４４０ｎｍと、蛍光増白剤の影響を受ける短波長側と蛍光増白剤の影響を受けない長波長側の境界である５２０ｎｍにおける分光反射率差分を、以下の式２のｆとすると、蛍光レベルＲＦ（ｆ）は、以下の式３のようにｆの線形変換で算出できる。
【数２】
2015177380.tif 000004
【数３】
2015177380.tif 000005
【００３８】
上記式３の線形変換パラメータα、βは、予め設定して記憶しておく。蛍光レベルが比較的高い非標準記録媒体をいくつか測色して、（１）ＵＶカットなしでの非標準記録媒体の分光反射率と（２）ＵＶカットありでの非標準記録媒体の分光反射率を取得し、（３）ＵＶカットフィルタありとなしの差分を求める。二次元平面の横軸に各非標準記録媒体の（１）４４０ｎｍと５２０ｎｍの差分（＝ｆ）、縦軸に各非標準記録媒体の（３）４４０ｎｍにおける差分値（＝蛍光レベルＲＦ（ｆ））をプロットし、近似直線を求める。近似直線の切片がα、傾きがβになる。線形変換パラメータα、β、及び、図１３の基本波形は、蛍光レベル予測パラメータとしてまとめて予め記憶部１２に記憶しておくこともできる。そして、蛍光補正パラメータ設定部１５は、蛍光レベル差を算出する。非標準記録媒体の蛍光レベルをＲＦ（ｆｕ）、標準記録媒体の蛍光レベルをＲＦ（ｆｓ）とすると、ＲＦ（ｆｕ）−ＲＦ（ｆｓ）が蛍光レベル差になるという具合である。
【００３９】
蛍光補正パラメータ設定部１５は、以上のようにして算出した蛍光レベル差を、図１３に示す基本波形に乗算することで、ユーザ用紙と基準用紙との間の分光反射率の差分を示す分光反射率差分推定値を算出する。そして、算出した分光反射率差分推定値と、例えば記憶部１２に記憶された色材マスキングパラメータとに基づいて、標準記録媒体に形成したパッチの分光反射率の各々に対応した差分値（カラーパッチ分光反射率差分推定値）を算出する。そして、標準記録媒体に形成したパッチの分光反射率に、推定した差分値を加算することで、非標準記録媒体におけるパッチの予測分光反射率を求めることができる。
【００４０】
ここで、色材マスキングパラメータＰｗ、Ｐｃ、Ｐｍ、Ｐｙ…は、４Ｄ−ＬＵＴ（四次元ＬＵＴ（Look  Up  Table））の頂点１６点で設定されている。例えば色相変化量が第２閾値未満の場合、各頂点に対応したカラーパッチ分光反射率差分推定値は、非標準記録媒体の分光反射率差分推定値に色材マスキングパラメータを乗算した値になる。例えば（Ｃ、Ｍ、Ｙ、Ｋ）＝（１００、０、０、０）のカラーパッチ分光反射率差分推定値は、非標準記録媒体の分光反射率差分推定値に色材マスキングパラメータＰｃを乗算した値になる。４Ｄ−ＬＵＴの中間点（頂点以外）に対応したカラーパッチ分光反射率差分推定値は、頂点の分光反射率差分推定値をカラーパッチ網点面積率に応じた比率で線形補間して算出することができる。
【００４１】
以上のようにして、蛍光補正パラメータ設定部１５は、ＣＭＹＫの全色に対し、蛍光補正パラメータ４２を設定する。
【００４２】
図１４は、カラープロファイル生成部１１におけるプロファイル生成処理を実現するための機能構成を示す機能ブロックである。プロファイル生成部１１は、図１４に示すように、蛍光補正部４４と、カラープロファイル変換部４１と、ＴＲＣ補正部４６とを備える。蛍光補正部４４は、蛍光補正パラメータ設定部１５で設定された蛍光補正パラメータ４２を取得してユーザ用紙の蛍光レベルを基準用紙の蛍光レベルに変換する。カラープロファイル変換部４１は、記憶部１２から基準用紙のカラープロファイル１２１を取得し、デバイス非依存のＬａｂ均等色空間の色値を、画像形成装置３０が扱う基準用紙におけるＣＭＹＫの表色値(すなわち階調値)に変換する。ＴＲＣ補正部４６は、ＴＲＣ補正パラメータ設定部１６で設定されたＴＲＣ補正パラメータ４３を取得し、基準用紙における階調値をユーザ用紙における階調値に変換する。
【００４３】
次に、蛍光補正部４４およびＴＲＣ補正部４６について説明する。蛍光補正部４４は、蛍光補正パラメータ設定部１５にて設定された蛍光補正パラメータ４２に基づいて、ユーザ用紙に形成される画像の見かけ上の色が基準用紙に形成される画像の見かけ上の色と同じになるように、色値を補正する。蛍光補正後の色値は、Ｌａｂ均等色空間の色値として出力される。この蛍光補正は、特願２０１３−００１３６５に記述された蛍光補正方法と同様である。ＴＲＣ補正部４６は、ＴＲＣ補正パラメータ設定部１６にて設定されたＴＲＣ補正パラメータ４３に基づいて基準用紙の単色階調値をユーザ用紙の対応する単色階調値に補正する。具体的には、取得される離散階調値での座標関係を元にスプライン補間して作成した補正カーブ（ＴＲＣ補正カーブ）を用いた階調値変換を行い、図７のＩＮからＯＵＴへの変換を行う。
【００４４】
（動作説明）
図１５は、プロファイル生成装置１０により実行される一連の処理（メインルーチン）を示すフローチャートであり、シアンのパラメータを設定する例である。図１５においてメインルーチンが開始されると、まずステップＳ１０１の「色相変化量θｃの取得」において蛍光補正パラメータ設定部１５、及びＴＲＣ補正パラメータ設定部１６は、記憶部１２から色相変化パラメータ１２２を取得する。次にステップＳ１０２の「蛍光補正パラメータの設定」において、蛍光補正パラメータ設定部１５は、基準用紙の用紙特性１２３と、ユーザ用紙の用紙特性１２４と、色相変化パラメータ１２２とに基づいて、蛍光補正パラメータ４２を算出する。
【００４５】
次に、ステップＳ１０３において、ＴＲＣ補正パラメータ設定部１６は、色相変化パラメータ１２２が示す色相変化量θｃと第１閾値Ｔｈｃとの比較を行い、閾値未満であればステップＳ１０４に進み、目標色値を紙白からの色差に設定する。一方、閾値以上であればステップＳ１０５に進み、目標色値を累積Ｌａｂ色差に設定する。次に、ステップＳ１０６の「ＴＲＣ補正パラメータの設定」において、ＴＲＣ補正パラメータ設定部１６は、基準用紙の単色階調パッチの測色値１２６と、ユーザ用紙の単色階調パッチの測色値１２５とを取得し、ＴＲＣ補正パラメータ４３を設定する。次に、ステップＳ１０７の「蛍光補正処理」において、蛍光補正部４４は、デバイス非依存のＬａｂ均等色空間の３次元空間規定格子点上の色値に対し蛍光補正処理を行う。次に、ステップＳ１０８の「基準用紙カラープロファイルの取得」において、カラープロファイル変換部４１は、記憶部１２から基準用紙のカラープロファイル１２１を取得する。次に、ステップＳ１０９の「カラープロファイル変換処理」において、カラープロファイル変換部４１は、蛍光補正処理の出力値であるＬａｂ値を、基準用紙のカラープロファイル１２１を用いて画像形成装置３０が扱う基準用紙におけるＣＭＹＫの表色値(すなわち階調値)に変換する。次に、ステップＳ１１０の「ＴＲＣ補正処理」において、ＴＲＣ補正部４６は、ステップＳ１０６で設定されたＴＲＣ補正パラメータ４３を用いて、基準用紙におけるＣＭＹＫの階調値をユーザ用紙における階調値に変換し、ユーザ用紙のカラープロファイル２６を生成する。最後にステップＳ１１１において、ＴＲＣ補正部４６は、ステップＳ１１０で生成したユーザ用紙のカラープロファイル２６を画像処理装置４０に送信する。
【００４６】
以上に説明したように、本実施形態では、基準用紙に形成される単色階調の色相変化量を表す色相変化パラメータ１２２を用いて、蛍光補正パラメータ４２、及びＴＲＣ補正パラメータ４３を設定して、ユーザ用紙のカラープロファイル２６を生成する処理を行うことで、単色階調パッチにおいて色相変化が起こる場合でも適切にユーザ用紙のカラープロファイル２６を生成することができる。つまり、本実施形態によれば、基準用紙のカラープロファイル１２１を作成した際の画像形成装置３０の出力方式（電子写真/インクジェットか）に対応した補正処理を行うことが可能となる。
【００４７】
なお、上述した実施形態にかかるプロファイル生成装置１０によるプロファイル生成プロセスは、例えば、上述したＰＣに拡張ソフトウェアとして実装された処理プログラムがＰＣのＣＰＵにより実行されることによって実現される。ＰＣのＣＰＵにより実行される処理プログラムは、例えば、ＰＣのＲＯＭ等に予め組み込まれて提供される。また、ＰＣのＣＰＵにより実行される画像処理プログラムは、インストール可能な形式又は実行可能な形式のファイルでＣＤ−ＲＯＭ、ＣＤ−Ｒ、ＤＶＤ（Ｄｉｇｉｔａｌ Ｖｅｒｓａｔｉｌｅ Ｄｉｓｋ）等のコンピュータで読み取り可能な記録媒体に記録して提供するように構成してもよい。
【００４８】
さらに、ＰＣのＣＰＵにより実行される処理プログラムを、インターネット等のネットワークに接続されたコンピュータ上に格納し、ネットワーク経由でダウンロードさせることにより提供するように構成してもよい。また、ＰＣのＣＰＵにより実行される出力制御プログラムを、インターネット等のネットワーク経由で提供または配布するように構成してもよい。ＰＣのＣＰＵにより実行される処理プログラムは、図３に機能ブロック図で示した各処理機能を含むモジュール構成となっており、実際のハードウェアとしては、ＣＰＵ（プロセッサ）が例えばＲＯＭから画像処理プログラムを読み出して実行することにより各処理機能が主記憶装置（ＲＡＭ）上にロードされ、各処理機能が主記憶装置上に生成されるようになっている。
【００４９】
以上、本発明の一適用例としての実施の形態を具体的に説明したが、本発明は、上記の各実施の形態そのままに限定されるものではなく、実施段階ではその要旨を逸脱しない範囲で様々な変形や変更を加えて具体化することができる。例えば、上述の実施形態では、プロファイル生成装置１０を画像形成装置３０とは別の装置として実現する構成を説明したが、プロファイル生成装置１０の一部または全部の機能を、画像形成装置３０に内蔵させた構成を採用するようにしてもよい。
【符号の説明】
【００５０】
１０  プロファイル生成装置
１１  カラープロファイル生成部
１２  記憶部
１３  用紙特性取得部
１４  測色値取得部
１５  蛍光補正パラメータ設定部
１６  ＴＲＣ補正パラメータ設定部
２０  ＰＣ
２２  画像データ取得部
２３  色変換部
２４  カラープロファイル変換部
２５  カラープロファイル取得部
３０  画像形成装置
４０  画像処理装置
４１  カラープロファイル変換部
４４  蛍光補正部
４６  ＴＲＣ補正部
【先行技術文献】
【特許文献】
【００５１】
【特許文献１】特開２０１２−０１５９９３号公報
【図１】
2015177380.tif 000006
【図２】
2015177380.tif 000007
【図３】
2015177380.tif 000008
【図４】
2015177380.tif 000009
【図５】
2015177380.tif 000010
【図６】
2015177380.tif 000011
【図７】
2015177380.tif 000012
【図８】
2015177380.tif 000013
【図９】
2015177380.tif 000014
【図１０】
2015177380.tif 000015
【図１１】
2015177380.tif 000016
【図１２】
2015177380.tif 000017
【図１３】
2015177380.tif 000018
【図１４】
2015177380.tif 000019
【図１５】
2015177380.tif 000020